(57)【要約】【課題】角地の出入口でも引分戸を連動させて車椅子等で簡単に出入りできるように開閉する連動引分式引戸装置を提供する。【解決手段】閉時は、一側の引戸をコーナー滑車２９・３０に向けて移動すると、一側の引戸の移動に伴い、その引戸に連結したワイヤー５０の内側の直線索条部５０ａが移動してワイヤーを一方向に回動し、すると、ワイヤーの外側の直線索条部５０ｂを連結した他側の引戸が連動してコーナー滑車に向けて移動し、引分戸Ｄを互いに引き寄せて出入口Ｓを閉止する一方、開時は、一側の引戸を、例えば第２滑車２３に向けて移動すると、一側の引戸の移動に伴い、その引戸に連結したワイヤーの内側の直線索条部が第２滑車に向けて移動してワイヤーを他方向に回動し、すると、ワイヤーの外側の直線索条部を連結した他側の引戸が連動して第１滑車２０に向けて移動し、引分戸を互いに引き離して出入口を開く構造になっている。【選択図】          図１
2014066027.tif 000002
【特許請求の範囲】
【請求項１】
角地に面した出入口の屈曲角度に応じて角度を付けて第１固定レールと第２固定レールを配列しそれぞれ天井側支持部材に固定した引戸レールと、
第１固定レールと第２固定レールに、上端に搭載した係止具をそれぞれ係止してスライド自在に吊持した一対の引戸と、
第１固定レールを間に挟んだ両側においてそれぞれ天井側支持部材に枢支した第１滑車および第１コーナー滑車と、
第２固定レールを間に挟んだ両側においてそれぞれ天井側支持部材に枢支した第２滑車および第２コーナー滑車と、
引戸上の係止具を平行な直線索条部で挟んで第１滑車、第１コーナー滑車、第２滑車および第２コーナー滑車間にループ状に掛け回し、出入口に対し内側の直線索条部を一側の引戸上の係止具に連結する一方、外側の直線索条部を他側の引戸上の係止具に連結して往復回動可能に巻装する索条部材を備え、
索条部材は、第１コーナー滑車および第２コーナー滑車の外周面において、出入口に対して外側に掛けてコーナー軌道を形成してなることを特徴とする、連動引分式引戸装置。
【発明の詳細な説明】
【技術分野】
【０００１】
本発明は、一側の引戸が一方向に移動すると、それに連動して他側の引戸を反対の他方向に引き分け移動させて出入口を開閉する連動引分式引戸装置に関する。
【背景技術】
【０００２】
一般に、この種の連動引分式の引戸は、開けたときに間口の開口面積を比較的広く確保できるため、例えば車椅子やストレッチャーやベットが通過する病院や介護施設のトイレや手術室などに、好んで設置されている。
【先行技術文献】
【特許文献】
【０００３】
【特許文献１】特開２００２−２０１８４９号公報
【発明の概要】
【発明が解決しようとする課題】
【０００４】
ところが、従来の連動引分式引戸装置は、例えば左右一対の引戸を直列に配設して引戸レールにスライド走行可能に吊持し、角度のない一直線の開閉方向に連動して引分け走行させる構造であるため、例えば病院や介護施設にあっても、通路に沿って設けられたトイレや病室等の出入口を開閉する引分戸に適用が限られる。
【０００５】
そこで、従来から、例えば病院や介護施設では、角地に面して設けられた診察室や介護室等の出入口でも、引分戸を連動させて車椅子等で簡単に出入りできるように開閉する角地用の連動引分式引戸装置が提供されることが望まれている。
【課題を解決するための手段】
【０００６】
従って、本発明者らは、上述した課題を解決すべく、鋭意研究開発を重ねた結果、角地に面した診察室や介護室等の出入口でも、引分戸を連動させて車椅子等で簡単に出入りできるように開閉する角地用の連動引分式引戸装置を完成するに至った。即ち、請求項１に記載の発明は、たとえば以下に示す図示実施の形態のとおり、角地に面した出入口Ｓの屈曲角度に応じて角度を付けて第１固定レール１４と第２固定レール１５を配列しそれぞれ天井側支持部材に固定した引戸レールＬと、第１固定レール１４と第２固定レール１５に、上端に搭載した係止具をそれぞれ係止してスライド自在に吊持した一対の引戸Ｄ１・Ｄ２と、第１固定レール１４を間に挟んだ両側においてそれぞれ天井側支持部材に枢支した第１滑車２０および第１コーナー滑車２９と、第２固定レール１５を間に挟んだ両側においてそれぞれ天井側支持部材に枢支した第２滑車２３および第２コーナー滑車３０と、引戸Ｄ１・Ｄ２上の係止具を平行な直線索条部５０ａ・５０ｂで挟んで第１滑車２０、第１コーナー滑車２９、第２滑車２３および第２コーナー滑車３０間にループ状に掛け回し、出入口Ｓに対し内側の直線索条部５０ａを一側の引戸上の係止具に連結する一方、外側の直線索条部５０ｂを他側の引戸上の係止具に連結して往復回動可能に巻装するワイヤー５０のような索条部材を備え、索条部材は、第１コーナー滑車２９および第２コーナー滑車３０の外周面において、出入口Ｓに対して外側に掛けてコーナー軌道を形成してなることを特徴とする。
【発明の効果】
【０００７】
請求項１に記載の発明によれば、角地に面した出入口であっても、出入口の屈曲角度に応じて引戸レールの第１固定レールと第２固定レールを角度を付けて配列して天井側支持部材に固定し、それら固定レールに引戸をスライド移動自在に吊持し、閉時は、一側の引戸をコーナー滑車に向けて移動すると、一側の引戸の移動に伴い、その引戸に連結したワイヤーの内側の直線索条部が移動してワイヤーを一方向に回動することにより、ワイヤーの外側の直線索条部を連結した他側の引戸が連動し、コーナー滑車に向かう外側の直線索条部に引っ張られてコーナー滑車に向け移動し、引戸を互いに引き寄せて出入口を閉止する一方、開時は、一側の引戸を、例えば第２滑車に向けて移動すると、一側の引戸の移動に伴い、その引戸に連結したワイヤーの内側の直線索条部が第２滑車に向けて移動してワイヤーを他方向に回動することにより、ワイヤーの外側の直線索条部を連結した他側の引戸が連動し、第１滑車に向かう外側の直線索条部に引っ張られて第１滑車に向け移動し、引戸を互いに引き離して出入口を大きく開いて、その結果、身障者や非力な子供等にとっても、常に負担なく簡単な操作により引分戸を連動させて車椅子等で簡単に出入りできるように開閉することができる。
【図面の簡単な説明】
【０００８】
【図１】本発明の一例である連動引分式引戸装置の構造を引分戸の全開状態において示す平面図である。
【図２】連動引分式引戸装置を適用した引分戸が全開状態の引戸構造体を示す側面図である。
【図３】連動引分式引戸装置を適用した引分戸が全開状態の引戸構造体を示す斜視図である。
【図４】上枠のコーナー部において連動引分式引戸装置の構造を示す拡大側面図である。
【図５】第３滑車組立体を示す分解斜視図である。
【図６】第３滑車組立体を示す拡大平面図である。
【図７】連動引分式引戸装置の構造を引分戸の全閉状態において示す平面図である。
【図８】連動引分式引戸装置を適用した引分戸が全閉状態の引戸構造体を示す側面図である。
【図９】連動引分式引戸装置を適用した引分戸が全閉状態の引戸構造体を示す斜視図である。
【図１０】連動引分式引戸装置を適用する連動引分け角度が広角な引分戸が全閉状態の引戸構造体を示す斜視図である。
【図１１】連動引分式引戸装置を適用する連動引分け角度が広角な引分戸が全開状態の引戸構造体を示す斜視図である。
【発明を実施するための形態】
【０００９】
以下、図面を参照しつつ、本発明の実施の形態について説明する。
【００１０】
図１は本発明の一例である連動引分式引戸装置の構造を引分戸の全開状態において示し、図２および図３は連動引分式引戸装置を適用した引分戸が全開状態の引戸構造体を示す。図示例の引戸構造体は、例えば病院において、２つの通路ｒ１・ｒ２が交わる角地に面した診察室Ｒの出入口Ｓを開閉する引分戸Ｄの構造体で、天井側支持部材である上枠Ｆと、左右一対の戸袋壁Ｗ１・Ｗ２とで出入口Ｓを枠付けし、上枠Ｆには幕板ｍを取り付けて出入口Ｓの上側に配設する連動機構が外側正面に露出しないように遮蔽している。上枠Ｆは、第１枠材ｆ１と第２枠材ｆ２からなり、それら枠材ｆ１・ｆ２を、互いに突き合う繋ぎ目ｔをテーパにして出入口Ｓの屈曲角度（例えば９０度）に対応した直角に配設してＬ形に組み付けてなる。
【００１１】
図示例の連動引分式引戸装置は、Ｌ形に屈曲した上枠Ｆに引分戸Ｄを構成する一対の引戸Ｄ１・Ｄ２をスライド移動可能に吊設し、一側の引戸を一方向に移動させると、それに連動して他側の引戸が反対の他方向に移動することにより、一対の引戸Ｄ１・Ｄ２が互いに直角な向きに引き分け走行して出入口Ｓを開閉する構造になっている。そのため、連動引分式引戸装置は、引戸Ｄ１・Ｄ２の上端に取り付けるそれぞれ一対の取付金具１０・１１および戸車ユニット１２・１３を備える一方、上枠Ｆ側には、引戸レールＬと、第１滑車組立体Ｐ１と、第２滑車組立体Ｐ２と、第３滑車組立体Ｐ３と、索条部材であるワイヤー５０を備えて連動引分け機構を構成している。
【００１２】
取付金具１０・１１は、図１、図２および図４に示すように、それぞれ細長い取付プレートに埋込みナットを固着し、引戸Ｄ１・Ｄ２上の戸先側に取り付ける取付プレート１０ａ・１１ａには、連結片１０ｂ・１１ｂを曲げ起し、連結片１０ｂ・１１ｂの上端にそれぞれワイヤー連結管３５・４５を取り付けて取付プレートと平行な向きに保持する。取付金具１０・１１は、引戸Ｄ１・Ｄ２の上端面において、それぞれ戸先側と戸尻側にねじ止めする。戸先側の取付プレート１０ａ・１１ａは、引戸Ｄ１・Ｄ２の上端面において、連結片１０ｂ・１１ｂが互いに離隔した反対側になる向きに取り付ける。
【００１３】
戸車ユニット１２・１３は、両端円周に環状の係合リブ１６ａを有した一対の戸車１６を、長手ケース状の戸車ブラケット１７の上で回転自在に枢支する一方、底部に螺着した吊りボルトｂの先端ねじ部を、引戸Ｄ１・Ｄ２の上端面において戸先側と戸尻側に固設した取付金具１０・１１の埋込みナットに螺合して引戸Ｄ１・Ｄ２に搭載する。
【００１４】
引戸レールＬは、上枠Ｆに下向きに固定する一対の第１および第２の固定レール１４・１５からなる。固定レール１４・１５は、図４に示すように、それぞれ図中下面の長さ方向に逃げ溝１８をあけたチャネル形状に曲げ成形し、逃げ溝１８の両側に戸車１６の走行路３９を形成している。そこで、引戸レールＬは、それぞれ上板面において、第１固定レール１４を上枠Ｆの第１枠材ｆ１に固着する一方、第２固定レール１５を第２枠材ｆ２に固着して出入口Ｓの直角な屈曲角度に合わせて角度を付けて敷設する。
【００１５】
第１滑車組立体Ｐ１は、図１および図２に示すように、滑車ブラケット１９と、第１滑車２０を備え、第１滑車２０を車軸２１を中心として回転自在に滑車ブラケット１９に枢支して組み立ててなる。第２滑車組立体Ｐ２は、滑車ブラケット２２と、第１滑車２３を備え、第１滑車２３を車軸２４を中心として回転自在に滑車ブラケット２２に枢支して組み立ててなる。
【００１６】
第３滑車組立体Ｐ３は、図１、図４、図５および図６に示すように、コーナーガイド２５と、第１コーナー滑車２９と、第２コーナー滑車３０と、車軸３１・３２を備える。コーナーガイド２５は、金属板を用いて、上枠Ｆのコーナー部２６の角形状に合わせて曲げ成形し、中間の立板部２５ａと、立板部２５ａを間に挟んで互いに平行に延びるそれぞれ幅広Ｌ形状の固定板部２５ｂおよび滑車支持板部２５ｃとからなる。幅広Ｌ形の滑車支持板部２５ｃには、２つの角部分を結ぶ対角位置に一対の外側軸穴２７と内側軸穴２８が設けられている。車軸３１・３２は、それぞれ軸部が雌ねじ穴を螺設したパイプ状のスタッド３１ａ・３２ａと、ビス３１ｂ・３２ｂの対になっている。そこで、第１コーナー滑車２９は、スタッド３１ａの軸部を外側軸穴２７に貫挿して中心穴に２９ａに挿入してから、雌ねじ穴にビス３１ｂを螺着して車軸３１で枢支する。第２コーナー滑車３０は、スタッド３２ａの軸部を内側軸穴２８に貫挿して中心穴に３０ａに挿入してから、雌ねじ穴にビス３２ｂを螺着して車軸３２で枢支する。以って、第１コーナー滑車２９と第２コーナー滑車３０は、それぞれコーナーガイド２５の滑車支持板部２５ｃに回転可能に間隔をあけて保持する。
【００１７】
そこで、第１滑車組立体Ｐ１および第２滑車組立体Ｐ２は、図１に示すように、引戸レールＬの第１および第２固定レール１４・１５を間に挟んでＬ形上枠Ｆの両端に、互いの滑車２０・２３を上枠Ｆのコーナー部２６に向けて滑車ブラケット１９・２２を取り付ける。第３滑車組立体Ｐ３は、上枠Ｆのコーナー部２６において、出入口Ｓに対し外側に第１コーナー滑車２９が配置される一方、内側に第２コーナー滑車３０が配置される向きにコーナーガイド２５を配置して固定板部２５ｂをねじ止めする。以って、第１滑車２０と第１コーナー滑車２９を、引戸レールＬの第１固定レール１４を間に挟んだ両側において上枠Ｆの第１枠材ｆ１に枢支すると共に、第２滑車２３と第２コーナー滑車３０とを、第２固定レール１５を間に挟んだ両側において上枠Ｆの第２枠材ｆ２に枢支する一方、第１コーナー滑車２９および第２コーナー滑車３０は、コーナーガイド２５において、出入口Ｓに対し外側と内側に間隔を開けてそれぞれ上枠Ｆのコーナー部２６に枢支する。
【００１８】
索条部材のワイヤー５０は、エンドレスに繋いだ金属製ワイヤーからなる。金属製でなくてもよく、樹脂製ワイヤーなどでもよく、索条部材であれば、剛性のあるロープ・紐・糸等も含まれる。
【００１９】
そこで、図示例において、ワイヤー５０は、引戸１０・１１をそれぞれ引戸レールＬの第１および第２固定レール１４・１５の走行路３９に戸車１６を係止して吊り込むとき、引戸１０・１１の上に一対ずつ搭載した戸車ユニット１２・１３を、平行な直線索条部５０ａ・５０ｂで挟んで第１滑車２０と第２滑車２３間に掛け回すと共に、第１コーナー滑車２９と第２コーナー滑車３０には、それぞれ外周面の出入口Ｓに対して外側に掛けて平行なコーナー軌道を形成し、全体にＬ形ループ状に掛け回す。一方で、ワイヤー５０は、出入口Ｓに対して内側の直線索条部５０ａを、一側の引戸１０上の戸車ユニット１２に有するワイヤー連結管３５に連結する一方、外側の直線索条部５０ｂを、他側の引戸１１上の戸車ユニット１３に有するワイヤー連結管４５に連結して往復回動可能に巻装する構成になっている。
【００２０】
さて、連動引分式引戸装置では、図１、図２および図３に示すように、いま全開した出入口Ｓを閉めるときは、引分戸Ｄの何れか一側の引戸、例えば引戸Ｄ２を、ハンドルｈを持ってコーナー部２６の第３滑車組立体Ｐ３に向けて移動すると、引戸レールＬの第２固定レール１５の案内で引戸Ｄ２が移動するのに伴い、引戸Ｄ２にワイヤー連結管４５で連結したワイヤー５０の内側の直線索条部５０ａが第１コーナー滑車２９に向け移動してワイヤー５０を一方向に回動し始める。ワイヤー５０が一方向に回動し始めると、ワイヤー５０の外側の直線索条部５０ｂをワイヤー連結管３５で連結した他側の引戸Ｄ１が連動し、第２コーナー滑車３０に向かう外側の直線索条部５０ｂに引っ張られて、引戸Ｄ２と同じコーナー部２６の第３滑車組立体Ｐ３に向け移動する。すると、引分戸Ｄの引戸Ｄ１・Ｄ２が互いに引き寄せられて、図７、図８および図９に示すように、上枠Ｆのコーナー部２６の下で、引戸Ｄ１の戸先側框部５４が引戸Ｄ２の戸先側框部５５の側面に突き当たり、出入口Ｓを全閉する。
【００２１】
反対に、いま全閉した出入口Ｓを開けるときは、引分戸Ｄの何れか一側の引戸、例えば引戸Ｄ２を、ハンドルｈを持って第２滑車２３に向けて移動すると、第２固定レール１５の案内で引戸Ｄ２が移動するのに伴い、引戸Ｄ２にワイヤー連結管４５で引戸Ｄ２に連結したワイヤー５０の内側の直線索条部５０ａが第２滑車２３に向け移動してワイヤー５０を他方向に回動し始める。ワイヤー５０が他方向に回動し始めると、ワイヤー５０の外側の直線索条部５０ｂをワイヤー連結管３５で連結した他側の引戸Ｄ１が連動し、第１滑車２０に向かう外側の直線索条部５０ｂに引っ張られて第１滑車２０に向け移動する。すると、引分戸Ｄの引戸Ｄ１・Ｄ２が互いに引き離されて、図１、図２および図３に示すように出入口Ｓを大きく全開する。
【００２２】
以上のように連動引分式引戸装置は、２つの通路ｒ１・ｒ２が交わる角地に面して直角に開口した出入口Ｓであっても、出入口Ｓの屈曲角度に応じて引戸レールＬの第１固定レール１４と第２固定レール１５を角度を付けて配列して上枠Ｆに固定し、それら固定レール１４・１５に引戸Ｄ１・Ｄ２をスライド移動自在に吊持し、閉時は、一側の引戸をコーナー滑車２９・３０に向けて移動すると、一側の引戸の移動に伴い、その引戸に連結したワイヤー５０の内側の直線索条部５０ａが移動してワイヤー５０を一方向に回動することにより、ワイヤー５０の外側の直線索条部５０ｂを連結した他側の引戸が連動し、コーナー滑車２９・３０に向かう外側の直線索条部５０ｂに引っ張られてコーナー滑車２９・３０に向けて動し、引戸Ｄ１・Ｄ２を互いに引き寄せて出入口Ｓを閉止する一方、開時は、一側の引戸を、例えば第２滑車２３に向けて移動すると、一側の引戸の移動に伴い、その引戸に連結したワイヤー５０の内側の直線索条部５０ａが第２滑車２３に向け移動してワイヤー５０を他方向に回動することにより、ワイヤー５０の外側の直線索条部５０ｂを連結した他側の引戸が連動し、第１滑車２０に向かう外側の直線索条部５０ｂに引っ張られて第１滑車２０に向け移動し、引戸Ｄ１・Ｄ２を互いに引き離して出入口Ｓを大きく開くことができ、その結果、身障者や非力な子供等にとっても、常に負担なく簡単な操作により引分戸を連動させて車椅子等で簡単に出入りできるように開閉することができる。
【００２３】
ところで、上述した図示実施の形態では、出入口Ｓの屈曲角度に応じて連動引分け角度が直角な引分戸Ｄに連動引分式引戸装置を適用した例を示した。しかし、本発明は、例えば図１０および図１１に示すように、屈曲角度が直角より広角な構造の出入口Ｓを連動して開閉する引分戸に適用したり、反対に、より狭角な構造の出入口Ｓを連動して開閉する引分戸Ｄに適用したりすることもできる。
【００２４】
また、上述した図示実施の形態では、引戸レールＬに係止具の戸車１６を係止してスライド移動自在に吊持した引分戸Ｄに連動引分式引戸装置を適用した例を示したが、本発明は、スライド移動自在に吊持する引分戸であれば、例えば固定の引戸レールに係止具として可動レールを係止してスライド移動自在に吊持した引分戸等にも適用することができる。
【００２５】
以上の図示実施の形態では、引分戸Ｄがいずれも一対の引戸であったが、スライド移動自在に吊持される扉であれば、折戸等であってもよい。
【符号の説明】
【００２６】
Ｄ              引分戸
Ｄ１・Ｄ２      引戸
Ｆ              上枠（天井側支持部材）
ｆ１・ｆ２      枠材
Ｌ              引戸レール
Ｐ１            第１滑車組立体
Ｐ２            第２滑車組立体
Ｐ３            第３滑車組立体
Ｓ              出入口
１４            第１固定レール
１５            第２固定レール
１６            戸車（係止具）
２０            第１滑車
２３            第２滑車
２５            コーナーガイド
２９            第１コーナー滑車
３０            第２コーナー滑車
５０            ワイヤー（索条部材）
５０ａ          内側の直線索条部
５０ｂ          外側の直線索条部
【図１】
2014066027.tif 000003
【図２】
2014066027.tif 000004
【図３】
2014066027.tif 000005
【図４】
2014066027.tif 000006
【図５】
2014066027.tif 000007
【図６】
2014066027.tif 000008
【図７】
2014066027.tif 000009
【図８】
2014066027.tif 000010
【図９】
2014066027.tif 000011
【図１０】
2014066027.tif 000012
【図１１】
2014066027.tif 000013